(57)【特許請求の範囲】
【請求項１】
媒体に対して加工を行なうための装置が位置あわせの基準とする基準マークと当該加工後の媒体とを示す媒体画像を、表示手段に表示させる表示制御手段に、
表示させる上記基準マークを示す画像の大きさが予め定められた大きさ以下であるときに、当該基準マークを示す画像とは異なる画像を表示させる基準マーク表示制御工程を行なわせ、
上記異なる画像は、点滅の強調表示をする画像、上記基準マークの周りを有色の背景で囲う画像、色違いの画像、異なる形状の画像（ただし、線幅のみが異なるものを除く）、又は上記基準マークを別の大きな図形で囲ったり重ねたりする画像であることを特徴とする表示制御プログラム。
【請求項２】
上記表示制御手段に、
表示させる上記媒体画像の縮尺を変更させる縮尺制御工程をさらに行なわせ、
上記基準マーク表示制御工程は、上記縮尺制御工程による上記媒体画像の縮尺の変更により、表示させる上記基準マークを示す画像の大きさが予め定められた大きさ以下となったときに、上記基準マークを示す画像の代わりに当該基準マークを示す画像とは異なる画像を表示させるものであることを特徴とする請求項１に記載の表示制御プログラム。
【請求項３】
上記予め定められた大きさは、上記基準マークを示す画像の形状と関連付けられていることを特徴とする請求項１又は２に記載の表示制御プログラム。
【請求項４】
上記異なる画像は、上記基準マークの形状を示す画像と関連付けられていることを特徴とする請求項１〜３のいずれか１項に記載の表示制御プログラム。
【請求項５】
請求項１〜４のいずれか１項に記載の表示制御プログラムが格納された記録媒体。
【請求項６】
媒体に対して加工を行なうための装置が位置あわせの基準とする基準マークと当該加工後の媒体とを示す媒体画像を、表示手段に表示させる表示制御手段を備え、
上記表示制御手段は、
表示させる上記基準マークを示す画像の大きさが予め定められた大きさ以下であるときに、当該基準マークを示す画像とは異なる画像を表示させる基準マーク表示制御手段を備え、
上記異なる画像は、点滅の強調表示をする画像、上記基準マークの周りを有色の背景で囲う画像、色違いの画像、異なる形状の画像（ただし、線幅のみが異なるものを除く）、又は上記基準マークを別の大きな図形で囲ったり重ねたりする画像であることを特徴とする表示制御装置。
【請求項７】
請求項６に記載の表示制御装置を備える媒体加工装置。
【発明の詳細な説明】
【技術分野】
【０００１】
本発明は、媒体を加工する装置が位置あわせの基準とする基準マークを表示するための表示制御プログラム、記録媒体、表示制御装置及び媒体加工装置に関する。
【背景技術】
【０００２】
特許文献１には、シート材にカット加工を開始する前に、複数の画像のうち最も後ろ側に印刷された画像の周囲に印刷されたトンボの位置を検出して、当該画像にカット加工を施すカッティング装置が記載されている。
【先行技術文献】
【特許文献】
【０００３】
【特許文献１】特開２０１１−５１１９２号公報（２０１１年３月１７日公開）
【発明の概要】
【発明が解決しようとする課題】
【０００４】
所望する図柄の外側にトンボを配置して、ディスプレイに表示されるプレビュー画面でトンボが意図した箇所に設けられているか確認することがある。しかし、図柄がトンボに対して大きすぎる場合、図柄全体をプレビューすると、トンボは画面上で見づらくなり、意図した場所に設けられているか分かりにくいことがある。トンボの位置を図柄の四方に配置する場合には画面上で見つけることは比較的容易ではあるが、例えば、トンボを媒体の中に散在させたり、より高い精度に保ちたい場所に偏在させたりする場合には、画像全体を見渡しながらトンボの位置を確認することは難しい。
【０００５】
本発明はこのような事情に鑑みてなされた発明であり、媒体上のトンボ等の基準マークを画面にて視認し易くする表示制御プログラム等を提供することを目的とする。
【課題を解決するための手段】
【０００６】
上記の課題を解決するために、本発明に係る表示制御プログラムは、媒体に対して加工を行なうための装置が位置あわせの基準とする基準マークと当該加工後の媒体とを示す媒体画像を、表示手段に表示させる表示制御手段に、表示させる上記基準マークを示す画像の大きさが予め定められた大きさ以下であるときに、当該基準マークを示す画像とは異なる画像を表示させる基準マーク表示制御工程を行なわせることを特徴としている。
【０００７】
また、本発明に係る表示制御装置は、媒体に対して加工を行なうための装置が位置あわせの基準とする基準マークと当該加工後の媒体とを示す媒体画像を、表示手段に表示させる表示制御手段を備え、上記表示制御手段は、表示させる上記基準マークを示す画像の大きさが予め定められた大きさ以下であるときに、当該基準マークを示す画像とは異なる画像を表示させる基準マーク表示制御手段を備えることを特徴としている。
【０００８】
基準マークを示す画像が予め定められた大きさ以下の場合に異なる画像に変わることにより、ユーザの注目を惹くため、ユーザは基準マークを視認しやすくなる。
【０００９】
また、例えば、異なる画像がより大きな基準マークの画像であったり、点滅等の強調表示をする画像であったり、基準マークの周りを有色の背景で囲う画像であったりすれば、ユーザは基準マークの位置をより視認しやすくなる。
【００１０】
本発明に係る表示制御プログラムでは、上記表示制御手段に、表示させる上記媒体画像
の縮尺を変更させる縮尺制御工程をさらに行なわせ、上記基準マーク表示制御工程は、上記縮尺制御工程による上記媒体画像の縮尺の変更により、表示させる上記基準マークを示す画像の大きさが予め定められた大きさ以下となったときに、上記基準マークを示す画像の代わりに当該基準マークを示す画像とは異なる画像を表示させるものであることがより好ましい。
【００１１】
また、本発明に係る表示制御装置では、上記表示制御手段は、表示させる上記媒体画像の縮尺を変更させる縮尺制御手段をさらに備え、上記基準マーク表示制御手段は、上記縮尺制御手段による上記媒体画像の縮尺の変更により、表示させる上記基準マークを示す画像の大きさが予め定められた大きさ以下となったときに、上記基準マークを示す画像の代わりに当該基準マークを示す画像とは異なる画像を表示させるものであることがより好ましい。
【００１２】
媒体の画像の縮尺を変更して、媒体のより広い部分を表示部に表示させようとすると、相対的に基準マークの画像が小さくなる。しかし、基準マークの画像の大きさが予め定められた大きさ以下になったときに、基準マークの画像を異なる画像に変えることで、縮尺を変える過程で基準マークが見えにくくなってもユーザの注目を惹き、ユーザは基準マークがどこにあるのか視認しやすくなる。また、例えば、異なる画像が、より大きな基準マークの画像であったり、基準マークの周りを有色の背景で囲ったりして、上記異なる画像の表示領域の大きさが元の基準マークの画像の大きさ以上の画像である場合には、縮尺の変更により元の基準マークの画像が小さすぎて見えなくなっても、ユーザが当該異なる画像を視認することで、基準マークの位置をより容易に把握できる。
【００１３】
本発明に係る表示制御プログラムでは、上記予め定められた大きさは、上記基準マークを示す画像の形状と関連付けられていることがより好ましい。
【００１４】
また、本発明に係る表示制御装置では、上記予め定められた大きさは、上記基準マークの形状と関連付けられていることがより好ましい。
【００１５】
つまり、複数種類の基準マークを使用する場合には、それぞれの基準マークの形状に応じて、異なる画像に置き換える基準マークの大きさの閾値を決定することが好ましい。基準マークの形状によっては同じ大きさでもユーザが視認し易いものも視認し難いものもある。例えば、線分の集合で表示される基準マークと、黒い四角形で表示される基準マークとでは、同じ大きさであっても線分の集合で表示される基準マークの方が表示解像度以下の線分の集合となり視認し難くなる。しかし、基準マークの形状に応じて異なる画像に置き換えるときの上記予め定められた大きさの閾値を設定しておけば、基準マークの形状に応じて見難くなる前に異なる画像に置き換えてユーザによる基準マークの視認を支援できる。
【００１６】
本発明に係る表示制御プログラムでは、上記異なる画像は、上記基準マークを示す画像の形状と関連付けられていることがより好ましい。
【００１７】
また、本発明に係る表示制御装置では、上記異なる画像は、上記基準マークの形状と関連付けられていることがより好ましい。
【００１８】
複数種類の基準マークを使用する場合において、例えば縮尺の変更により、基準マークの種類を判別できなくなることがある。そこで、基準マークの種類に応じて、置き換えるための異なる画像を分けておけば、どの位置に、どの種類の基準マークがあるかをユーザは視認し易くなる。例えば、原点用の基準マークと、それ以外の基準マークとがあり、これらを置き換えるための異なる画像が有色四角形である場合、原点用の基準マークを置き
換えるための四角形と、それ以外の基準マークを置き換えるための四角形とで色を変えるなどすればよい。
【００１９】
本発明には、本発明に係る表示プログラムが格納された記録媒体、及び、本発明に係る表示装置を備える媒体加工装置も包含される。
【発明の効果】
【００２０】
本発明によれば、基準マークを画面にて視認しやすいという効果を奏する。
【図面の簡単な説明】
【００２１】
【図１】本発明の一実施形態に係る媒体加工装置１の構成を模式的に示す図である。
【図２】本発明の一実施形態に係る媒体加工装置１が媒体に付すトンボ及びその代替画像の一例を示す図である。
【図３】本発明の一実施形態に係る媒体加工装置１の動作の一例を示すフローチャートである。
【図４】本発明の一実施形態に係る媒体加工装置１の動作の一例を示すフローチャートである。
【発明を実施するための形態】
【００２２】
以下、本発明の実施の形態について、詳細に説明する。
【００２３】
〔媒体加工装置１の構成〕
まず、媒体加工装置１の構成について図１を用いて説明する。図１は媒体加工装置１の構成を模式的に示す図である。
【００２４】
図１に示すように、媒体加工装置１は表示制御部（表示制御装置、表示制御手段）１０、入力部２０、記録部３０、表示部（表示手段）４０を備えている。
【００２５】
また、媒体加工装置１は媒体に対して加工を行なう装置である。媒体としては、紙、布帛等が挙げられ、加工の種類としては、切断、印刷等が挙げられる。
【００２６】
媒体加工装置１は、紙、布帛等の媒体を載せるプラテン、切断を行なうカッター、印刷を行なうインクジェット装置を備えているが、説明の簡単のため図示しない。
【００２７】
表示制御部１０は入力受付部１３によって受け付けた媒体画像を表示部４０に表示させるためのものである。
【００２８】
媒体画像には、上述のカッター、インクジェット装置等の媒体に対して加工を行なう部材が位置あわせの基準とするトンボ（基準マーク）を示す画像（以下、「トンボ画像」という。）及び当該加工が行なわれた後の媒体の様子を示す画像により構成されている。いわば、トンボの位置及び加工後の媒体の状態を示すプレビュー画像である。
【００２９】
表示制御部１０は、トンボ表示制御部（基準マーク表示制御手段）１１及び縮尺制御部（縮尺制御手段）１２、入力受付部１３を備えている。
【００３０】
トンボ表示制御部１１は、表示部４０に表示させるトンボの画像の大きさが予め定められた大きさ以下であるときに、トンボ画像とは異なる画像である代替画像を表示部４０に表示させるものである。
【００３１】
画像の大きさとは、例えば寸法、面積等をいう。つまり、トンボ表示制御部１１がトン
ボ画像の大きさが予め定められた大きさ以下であるか否かを判断する際、例えば、トンボ画像の寸法（例えば表示領域の縦の長さ及び横の長さ）を基準に判断してもよいし、面積を基準に判断してもよい。
【００３２】
また、トンボ表示制御部１１は、表示部４０が表示するトンボ画像の大きさを認識して、当該大きさが予め定められた大きさ以下であるか否かを判断する。予め定められた大きさについては、記録部３０に記録させておき、トンボ表示制御部１１が適宜参照するように構成してもよい。トンボ表示制御部１１は、表示部４０が表示するトンボ画像の大きさを、入力受付部１３が受け付けたトンボ画像の大きさや、縮尺制御部１２がサイズを変更した後のトンボ画像の大きさを取得することで認識する。
【００３３】
また、トンボ表示制御部１１は、認識したトンボ画像の大きさが予め定められた大きさ以下であると判断した場合には、代替画像を取得して表示部４０に表示させる。本実施形態では代替画像は記録部３０に記録されている場合について説明するが、これに限定されず、トンボ表示制御部１１がトンボ画像を加工して製作することで取得してもよい。トンボ画像の加工としては、例えば、トンボ画像に点滅させる処理を加えたり、拡大したり、色を変更したりする処理を行なうことが挙げられる。
【００３４】
代替画像はトンボ画像と異なる画像であればよい。代替画像の例を図２を用いて説明する。図２は媒体に付すトンボ及びその代替画像の一例を示す図である。図２の（ａ）がトンボ画像の一例であり、図２の（ｂ）及び（ｃ）は代替画像の一例である。トンボＭ１が図２の（ａ）に示すような形状であるとき、例えば、代替画像は当該形状より大きい図２の（ｂ）に示す代替画像Ｍ２のような形状であってもよい。また、当該形状とは全く異なる形状の図２の（ｃ）に示す代替画像Ｍ３のような形状であってもよい。また、当該形状を別の大きな図形で囲ったり、重ねたりして図２の（ｄ）に示す代替画像Ｍ４のような形状としてもよい。
【００３５】
このように、トンボ画像とは異なる画像である代替画像でトンボの位置を表示することでユーザの注目を惹き、ユーザはトンボの位置を視認しやすくなる。また、図２に示したようにトンボより大きい画像や、全く異なる形状の画像にすることで、より視認しやすくなる。さらには、図２の（ｂ）〜図２の（ｄ）のように、代替画像を、トンボ画像の表示領域の大きさ以上の大きさである表示領域を持つ画像とすれば、後述の縮尺の変更によりトンボが見え難くなっても、ユーザは代替画像によってトンボの位置を視認し易くなる。また、表示部４０を構成する画面の解像度のためにそもそもトンボが表示されないという問題が生じても、大きい画像であれば表示されるので、当該問題は解決される。
【００３６】
本発明に係る表示制御装置が表示させる異なる画像は、図２に示す代替画像に限定されない。例えば、基準マークより大きい画像、異なる形状の画像、基準マークと同じ又は異なる形状を点滅させる画像等が挙げられる。
【００３７】
また、代替画像に置き換える際のトンボ画像の予め定められた大きさは、後述の記録部３０にトンボ画像の形状毎に関連付けられて保存されている。つまり、本実施形態においてトンボ画像は複数の種類があり、その形状に応じて、代替画像に置き換えるときの予め定められた大きさが設定されている。換言すればトンボ画像の形状毎に表示する大きさの下限の閾値が設定されており、閾値を下回ると代替画像に置き換わる。
【００３８】
トンボ画像の形状によっては同じ大きさでもユーザが視認し易いものも視認し難いものもある。例えば、線分の集合で表示されるトンボ画像と、黒い四角形で表示されるトンボ画像とでは、同じ大きさであっても線分の集合で表示される基準マークの方が表示解像度以下の線分の集合となり視認し難くなる。しかし、トンボ画像の形状に応じて代替画像に
置き換えるときの予め定められた大きさの閾値を設定しておけば、トンボ画像の形状に応じて見難くなる前に代替画像に置き換えてユーザによる基準マークの視認を支援できる。
【００３９】
つまり、トンボ表示制御部１１は、記録部３０に形状毎の予め定められた大きさを参照して、表示部４０に表示させるトンボ画像が当該大きさ以下か否かを判断する。
【００４０】
また、代替画像自体も、後述の記録部３０にトンボ画像毎に関連付けられて保存されている。複数種類のトンボ画像を使用する場合において、例えば縮尺の変更により、トンボ画像の種類を判別できなくなることがある。そこで、トンボ画像の種類に応じて、置き換えるための代替画像を分けておけば、どの位置に、どの種類のトンボ画像があるかをユーザは視認し易くなる。例えば、原点用のトンボ画像と、それ以外のトンボ画像とがあり、これらを置き換えるための異なる画像が有色四角形である場合、原点用のトンボ画像を置き換えるための四角形と、それ以外の基準マークを置き換えるための四角形とで色を変えるなどすればよい。
【００４１】
縮尺制御部１２は、表示部４０に表示させる媒体画像のサイズ（縮尺）を変更させるものである。入力受付部１３が受け付けたサイズの変更指示に基づいて表示させる媒体画像のサイズを変更して表示部４０に表示させる。
【００４２】
また、縮尺制御部１２は、媒体画像のサイズの変更によって表示部４０が表示するトンボ画像の大きさを示す情報をトンボ表示制御部１１に送信する。トンボ表示制御部１１は当該情報を受信して、当該大きさのトンボ画像が予め定められた大きさ以下か否かを判断する。
【００４３】
また、縮尺制御部１２は、媒体画像全体のサイズを変更した結果の画像を表示部４０に送り、表示部４０に当該画像を表示させる。
【００４４】
縮尺制御部１２によって媒体画像のサイズを変更するに伴って、表示されるトンボ画像の大きさも変わる。しかし、トンボ画像が予め定められた大きさ以下になるときに、代替画像に置き換えることによって、次の利点がある。つまり、サイズを変える過程でトンボ画像が見えにくくなってもユーザの注目を惹き、ユーザはトンボ画像がどこにあるのか視認しやすくなる。また、例えば、代替画像が、より大きなトンボの画像であったり、トンボ画像の周りを有色の背景で囲ったりして、代替画像が元のトンボ画像の表示領域の大きさ以上の大きさである表示領域の画像である場合には、サイズの変更によりトンボ画像が小さすぎて見えなくなっても、ユーザが当該代替画像を視認することで、トンボの位置をより容易に把握できる。
【００４５】
入力受付部１３は、様々な情報の入力を入力部２０から受け付けるためのものである。様々な情報の例としては、加工後の媒体の状態を示す画像、トンボの位置及び形状、表示部４０に表示させる媒体画像のサイズの変更指示、予め設定しておくトンボ画像を代替画像に置き換えるときのトンボ画像の大きさ、並びに、予め記録部３０に記録させておく代替画像の種類及び上述の閾値やそれらとトンボ画像との関連付け情報等が挙げられる。
【００４６】
入力受付部１３には主に入力部２０から様々な情報が入力される。換言すればユーザは入力部２０を操作することで入力受付部１３に情報を送る。
【００４７】
また、例えば、入力受付部１３が加工後の媒体の状態を示す画像を受け付けるときは、入力部２０に入力された指示に従って、別途記録されている記録媒体等から読み込んでもよい。また、コンピュータを表示制御部１０として機能させるプログラムを起動した上で、ユーザが入力部２０を操作してプログラム上から加工後の媒体を示す状態を示す画像の
ファイルを開くことで、入力受付部１３が当該画像を取得してもよい。なお、加工後の媒体の状態を示す画像については、ここに説明したようにファイルを開くことで入力受付部１３が受け付けてもよく、例えば、サーバ等の外部の記録媒体から読み込むことで入力受付部１３が受け付けてもよい。
【００４８】
また、入力受付部１３が、トンボの位置及び形状、表示部４０に表示させる媒体画像のサイズの変更指示、予め設定しておくトンボ画像を代替画像に置き換えるときのトンボ画像の大きさ、上記の関連付け情報を受け付けるときは、入力部２０からこれらの情報を受け付けてもよい。例えば、ユーザは、加工後の媒体の状態を示す画像を表示部４０で確認しながら、どの位置にどの形状のトンボを付すかを選択して、その情報を入力部２０から入力できる。そして、入力受付部１３は当該情報を受け付けて、加工後の媒体の状態を示す画像とトンボ画像とを表示制御部１０に送信する。表示制御部１０は加工後の媒体の状態を示す画像とトンボ画像とを合成して媒体画像を作成して表示部４０に表示させたり、さらにサイズの変更情報に基づいてサイズを変更した上で表示部４０に表示させたりする。
【００４９】
なお、本実施形態では、ユーザは表示部４０に表示された加工後の媒体の状態を示す画像を見ながら、トンボの位置、種類を選択して、当該画像上に配置する。これにより、入力受付部１３はトンボの位置及び形状を示す情報を受け取り、ひいては表示制御部１０が媒体画像を作成する。つまり、加工後の媒体の状態を示す画像の情報と、トンボの位置及び種類を示す情報が別々に与えられるため、トンボ表示制御部１１は媒体画像中のどの位置にどの種類のトンボがあるのかを認識できる。なお、ここではユーザがトンボを配置する場合について説明したが、ソフトウェアが自動的に特定の画像に対して特定の位置及び種類のトンボを配置する構成としてもよい。また、本発明においてはこのような形態に限定されない。例えば、加工後の媒体の状態を示す画像中に予めトンボが組み込まれていても、画像解析等により、基準マーク表示制御手段が、特定のマークを読み取って、予め設定されている基準マークの画像情報と照合して、当該マークが基準マークであることを認識してもよい。
【００５０】
入力部２０は入力受付部１３に対して様々な情報を入力するためのものであり、例えば、キーボード、マウス等から構成される。
【００５１】
記録部３０は様々な情報を記録するためのものである。記録部３０には、トンボ画像、代替画像、トンボ画像を代替画像に切り替えるための予め定められたトンボ画像の大きさ等が記録されている。また、必要に応じて、トンボ画像、代替画像、当該大きさを互いに関連付ける情報も記録されている。記憶部３０の具体的な構成は、例えば、フラッシュメモリー、ＲＡＭ（random access memory）、ＨＤＤ（ハードディスクドライブ）等により構成してもよい。また、本実施の形態では、記憶部３０は、媒体加工装置１に内蔵されているが、外付けであってもよい。
【００５２】
表示部４０は、表示制御部１０から送られてくる画像信号を表示するためのものである。例えば、ＬＣＤ（液晶ディスプレイ）、ＰＤＰ（プラズマディスプレイ）、ＣＲＴ（cathode-ray tube）ディスプレイ、有機ＥＬディスプレイ等の表示装置によって構成してもよい。
【００５３】
〔媒体加工装置１の動作１〕
次に、媒体加工装置１の動作の一例について図３を用いて説明する。動作の一例を示すフローチャートである。
【００５４】
ここでは、媒体画像のサイズを変更せずにそのまま表示部４０に表示する場合について
説明する。
【００５５】
まず、入力受付部１３は加工後の媒体の状態を示す画像、トンボの位置及び形状を示す情報を受け付けて表示制御部１０に送る。表示制御部１０は加工後の媒体の状態を示す画像とトンボの位置及び形状を示す情報とを合成して媒体画像を作成する（ステップＳ３０１）。
【００５６】
作成された媒体画像において、当該媒体画像に含まれるトンボ画像が表示部４０に表示されるときの大きさをトンボ表示制御部１１が認識する。そして、当該トンボ画像の大きさが予め定められた大きさ以下か否かを判断する（ステップＳ３０２）。
【００５７】
ステップＳ３０２において、表示部４０が表示するトンボ画像の大きさが予め定められた大きさ以下である場合は（ステップＳ３０２においてＹｅｓ）、ステップＳ３０３に進む。
【００５８】
ステップＳ３０３では、トンボ表示制御部１１は、トンボ画像を代替画像に置換して新たな媒体画像を作成する。
【００５９】
次に、トンボ表示制御部１１は作成した媒体画像を表示部４０に送る。
【００６０】
また、ステップＳ３０２において、表示部４０が表示するトンボ画像の大きさが予め定められた大きさ以下でない場合は（ステップＳ３０２においてＮｏ）、トンボ表示制御部１１は処理を終え、表示制御部１０はステップＳ３０１で作成した媒体画像を表示部４０に送る。
【００６１】
表示部４０は表示制御部１０から送られた媒体画像を表示する（ステップＳ３０４）。
【００６２】
以上で、媒体加工装置１が媒体画像のサイズを変更せずに表示する場合の動作が終了する。ここで行なったステップＳ３０２の処理、ステップＳ３０２においてＹｅｓの場合のステップＳ３０３及びステップＳ３０４の処理が本発明に係る表示制御プログラムにより表示制御手段に行なわせる基準マーク表示制御工程の一実施形態である。
【００６３】
〔媒体加工装置１の動作２〕
次に、媒体加工装置１の動作の一例について図４を用いて説明する。動作の一例を示すフローチャートである。
【００６４】
ここでは、媒体画像のサイズを変更して表示部４０に表示する場合について説明する。サイズの変更は、通常、ユーザは媒体画像を表示部４０で確認しながら行なう。そこで、既に媒体画像が、トンボ画像が代替画像に置き換わらないまま、表示部４０に表示されており、ユーザは表示部４０に表示された媒体画像を確認しながらサイズの変更の操作を行なう場合について説明する。
【００６５】
まず、入力受付部１３は表示部４０に表示される媒体画像のサイズを変更する指示を受け付ける（ステップＳ４０１）。
【００６６】
表示制御部１０は当該指示に基づいて媒体画像のサイズを変更する（縮尺制御工程）。変更されたサイズの媒体画像に含まれるトンボ画像が表示部４０に表示されるときの大きさをトンボ表示制御部１１が認識する。そして、当該トンボ画像の大きさが予め定められた大きさ以下か否かを判断する（ステップＳ４０２）。
【００６７】
ステップＳ４０２において、表示部４０が表示するトンボ画像の大きさが予め定められた大きさ以下である場合は（ステップＳ４０２においてＹｅｓ）、ステップＳ４０３に進む。
【００６８】
ステップＳ４０３では、トンボ表示制御部１１は、トンボ画像を代替画像に置換した上で、ステップＳ４０１で受け付けたサイズの変更指示に基づいて新たな媒体画像を作成する。
【００６９】
次に、トンボ表示制御部１１は作成した媒体画像を表示部４０に送る。
【００７０】
また、ステップＳ４０２において、表示部４０が表示するトンボ画像の大きさが予め定められた大きさ以下でない場合は（ステップＳ４０２においてＮｏ）、トンボ表示制御部１１は処理を終え、表示制御部１０はステップＳ４０１で受け付けたサイズの変更の指示に基づいてサイズを変更した媒体画像を表示部４０に送る。
【００７１】
表示部４０は表示制御部１０から送られた媒体画像を表示する（ステップＳ４０４）。
【００７２】
以上で、媒体加工装置１が媒体画像のサイズを変更して表示する場合の動作が終了する。
【００７３】
〔付記事項１〕
表示制御部１０の各ブロックは、ハードウェアロジックによって構成してもよいし、次のようにＣＰＵを用いてソフトウェアによって実現してもよい。
【００７４】
すなわち、表示制御部１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示制御部１０の制御プログラムのプログラムコード（実行形式プログラム、中間コードプログラム、ソースプログラム）をコンピュータで読み取り可能に記録した記録媒体を、表示制御部１０に供給し、そのコンピュータ（またはＣＰＵやＭＰＵ）が記録媒体に記録されているプログラムコードを読み出し実行することによっても、達成可能である。
【００７５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【００７６】
また、表示制御部１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態
でも実現され得る。
【００７７】
〔付記事項２〕
以上のように、本発明に係る表示制御プログラムの一実施形態は、媒体に対して加工を行なうための装置が位置あわせの基準とするトンボと当該加工後の媒体とを示す媒体画像を、表示部４０に表示させる表示制御部１０に、表示させるトンボ画像の大きさが予め定められた大きさ以下であるときに、当該トンボ画像とは異なる代替画像を表示させるトンボ表示制御工程（基準マーク表示制御工程）を行なわせる。
【００７８】
また、本発明に係る表示制御装置の一実施形態は、媒体に対して加工を行なうための装置が位置あわせの基準とするトンボと当該加工後の媒体とを示す媒体画像を、表示部４０に表示させる表示制御部１０を備え、表示制御部１０は、表示させるトンボ画像の大きさが予め定められた大きさ以下であるときに、トンボ画像とは異なる代替画像を表示させるトンボ表示制御部１１を備える。
【００７９】
トンボ画像が予め定められた大きさ以下の場合に異なる代替画像に変わることにより、ユーザの注目を惹くため、ユーザはトンボを視認しやすくなる。
【００８０】
また、例えば、代替画像がより大きなトンボの画像であったり、点滅等の強調表示をする画像であったり、基準マークの周りを有色の背景で囲う画像であったりすれば、ユーザはトンボの位置をより視認しやすくなる。
【００８１】
本発明に係る表示制御プログラムの一実施形態では、表示制御部１０に、表示させる媒体画像のサイズを変更させるサイズ変更工程（縮尺制御工程）をさらに行なわせ、トンボ表示制御工程は、サイズ変更工程による媒体画像のサイズの変更により、表示させるトンボ画像の大きさが予め定められた大きさ以下となったときに、トンボ画像の代わりに当該トンボ画像とは異なる画像を表示させるものである。
【００８２】
また、本発明に係る表示制御装置の一実施形態では、表示制御部１０は、表示させる媒体画像のサイズを変更させる縮尺制御部１２をさらに備え、トンボ表示制御部１１は、縮尺制御部１２による媒体画像のサイズの変更により、表示させるトンボ画像の大きさが予め定められた大きさ以下となったときに、トンボ画像の代わりに代替画像を表示させるものである。
【００８３】
媒体の画像のサイズを変更して媒体のより広い部分を表示部４０に表示させようとすると相対的にトンボ画像が小さくなる。しかし、トンボ画像の大きさが予め定められた大きさ以下になったときに、トンボ画像を代替画像に変えることで、サイズを変える過程でトンボ画像が見えにくくなってもユーザの注目を惹き、ユーザはトンボがどこにあるのか視認しやすくなる。また、例えば、代替画像が、より大きなトンボの画像であったり、トンボの周りを有色の背景で囲ったりして、表示領域が元のトンボ画像の表示領域の大きさ以上の画像である場合には、縮尺の変更により元のトンボ画像が小さすぎて見えなくなっても、ユーザが代替画像を視認することで、トンボの位置をより容易に把握できる。
【００８４】
本発明に係る表示制御プログラムの一実施形態では、上記予め定められた大きさは、トンボ画像の形状と関連付けられている。
【００８５】
また、本発明に係る表示制御装置の一実施形態では、上記予め定められた大きさは、トンボ画像の形状と関連付けられている。
【００８６】
つまり、複数種類のトンボ画像を使用する場合には、それぞれのトンボ画像の形状に応
じて、代替画像に置き換えるトンボ画像の大きさの閾値を決定することが好ましい。トンボ画像の形状によっては同じ大きさでもユーザが視認し易いものも視認し難いものもある。例えば、線分の集合で表示されるトンボと、黒い四角形で表示されるトンボとでは、同じ大きさであっても線分の集合で表示されるトンボの方が表示解像度以下の線分の集合となり視認し難くなる。しかし、トンボ画像の形状に応じて代替画像に置き換えるときの上記予め定められた大きさの閾値を設定しておけば、トンボ画像の形状に応じて見難くなる前に代替画像に置き換えてユーザによるトンボ画像の視認を支援できる。
【００８７】
本発明に係る表示制御プログラムの一実施形態では、代替画像は、トンボ画像の形状と関連付けられている。
【００８８】
また、本発明に係る表示制御装置の一実施形態では、代替画像は、トンボ画像の形状と関連付けられている。
【００８９】
複数種類のトンボを使用する場合において、例えば縮尺の変更により、トンボ画像の種類を判別できなくなることがある。そこで、トンボ画像の種類に応じて、置き換えるための代替画像を分けておけば、どの位置に、どの種類のトンボ画像があるかをユーザは視認し易くなる。例えば、原点用のトンボと、それ以外のトンボとがあり、代替画像が有色四角形である場合、原点用のトンボ画像を置き換えるための四角形と、それ以外のトンボ画像を置き換えるための四角形とで色を変えるなどすればよい。
【００９０】
本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。
【産業上の利用可能性】
【００９１】
本発明は、紙、布帛等の媒体を加工する分野に利用することができる。
【符号の説明】
【００９２】
１    媒体加工装置
１０    表示制御部（表示制御装置、表示制御手段）
１１    トンボ表示制御部（基準マーク表示制御手段）
１２    縮尺制御部（縮尺制御手段）
【図１】
0005973734.tif 000002
【図２】
0005973734.tif 000003
【図３】
0005973734.tif 000004
【図４】
0005973734.tif 000005